(57)【特許請求の範囲】
【請求項１】
カメラを備えて、ケース背面に前記カメラの角度を調整するための調整窓、及び前記調整窓の下方に伝送線を接続する端子台を露出させる端子台窓を設けたインターホン機器の防雨構造であって、
前記調整窓の上部から前記ケース背面の左右側端部にかけて、水の流れを側方へ案内する下り傾斜のガイド溝を凹設すると共に、前記端子台窓の上部及び左右側部を覆う庇状の枠状突起を有し、
更に前記調整窓及び前記端子台窓を覆う閉塞板を有して、前記閉塞板は前記ケース背面に蝶着されて開閉可能に配置され、前記ガイド溝のうち少なくとも前記調整窓の周囲に対して嵌合する帯状リブを有することを特徴とするインターホン機器の防雨構造。
【請求項２】
前記閉塞板は前記帯状リブに沿うよう形成した帯状段部を有し、前記端子台窓を前記閉塞板が閉塞する際に、前記枠状突起を包含して閉塞することを特徴とする請求項１記載のインターホン機器の防雨構造。
【発明の詳細な説明】
【技術分野】
【０００１】
本発明は、屋外に設置されるインターホン機器の防雨構造に関し、特にカメラを備えてその角度を調整するための窓や端子台を露出させる窓を設けたインターホン機器の防雨構造に関する。
【背景技術】
【０００２】
カメラを備えたインターホン機器の場合、カメラの角度を調整できるよう構成されたものが普及している。例えば特許文献１では、機器ケースの背部に調整レバーを配置し、ケース背面に調整レバーを操作するための窓を設けている。
一方で、このようなインターホン機器は、通話先の機器を始め、セキュリティ機器等様々な機器が伝送線を介して接続されるため、複数の伝送線を容易に接続できる即結端子から成る端子台が設けられている。例えば特許文献２では、端子台がケース内の基板に組み付けられ、機器ケース背面にはその端子台を露出させる窓が開口されている。
【０００３】
従来のこのようなインターホン機器は、開口した窓から雨水が浸入しないように、それぞれ対策がとられた。上記特許文献１では、調整レバーを露出させた窓の上部に水の流れを左右に案内する庇状に左右に延びたリブを設け、雨水が窓に流れ込まないよう構成されている。また、上記特許文献２では、端子台の前面を覆う蓋を設けて雨水の浸入を防いだ。
【先行技術文献】
【特許文献】
【０００４】
【特許文献１】特開２０１１−４９９８９号公報（図１）
【特許文献２】特開２００５−１５９８９２号公報
【発明の概要】
【発明が解決しようとする課題】
【０００５】
しかしながら、上記特許文献１の構成の場合、調整レバーを露出させる窓の周囲は平坦であるし、窓の前方は開放されているため、雨水の浸入を完全に防ぐには十分ではなかった。また、端子台を露出させた上記特許文献２の場合、蓋を備えることで窓の前方となるケース後方からの雨水の浸入は防ぐことができたが、上方からの流れ込みに対しては十分ではなかった。
【０００６】
そこで、本発明はこのような問題点に鑑み、カメラの角度を調整する調整窓に加えて端子台窓を備えたインターホン機器において、何れの窓からも雨水が浸入するのを防ぐことができるインターホン機器の防雨構造を提供することを目的とするものである。
【課題を解決するための手段】
【０００７】
上記課題を解決する為に、請求項１の発明は、カメラを備えて、ケース背面にカメラの角度を調整するための調整窓、及び調整窓の下方に伝送線を接続する端子台を露出させる端子台窓を設けたインターホン機器の防雨構造であって、調整窓の上部からケース背面の左右側端部にかけて、水の流れを側方へ案内する下り傾斜のガイド溝を凹設すると共に、端子台窓の上部及び左右側部を覆う庇状の枠状突起を有し、更に調整窓及び端子台窓を覆う閉塞板を有して、閉塞板はケース背面に蝶着されて開閉可能に配置され、ガイド溝のうち少なくとも調整窓の周囲に対して嵌合する帯状リブを有することを特徴とする。
この構成によれば、左右に亘り形成したガイド溝により上方から流れ込んだ雨水は左右に流れ出る。そのため、調整窓に雨水が浸入することが無い。そして、上部に配置されるガイド溝と枠状突起により上方から端子台窓へ雨水が浸入するのも防ぐことができる。
【０００８】
また、閉塞板により双方の窓の前方が閉塞されるし、ガイド溝は帯状リブが嵌合するため、あたかも二重リブ構造のような構成とり、後方からの雨水の浸入阻止に加えて上方からの雨水の浸入に対しても防止効果が増す。また、閉塞板は容易に開閉できるため、調整窓や端子台窓を容易に露出させることができる。
【０００９】
請求項２の発明は、請求項１に記載の構成において、閉塞板は帯状リブに沿うよう形成した帯状段部を有し、端子台窓を閉塞板が閉塞する際に、枠状突起を包含して閉塞することを特徴とする。
この構成によれば、閉塞板は端子台窓に対して、その前面を覆うだけでなく枠状突起を含めて閉塞するため、枠状突起との間の隙間を無くすことができ、端子台窓への雨水の浸入を確実に防止できる。
【発明の効果】
【００１０】
本発明によれば、左右に亘り形成したガイド溝により上方から流れ込んだ雨水は左右に流れ出る。そのため、調整窓に雨水が浸入することが無い。そして、上部に配置されるガイド溝と枠状突起により上方から端子台窓へ雨水が浸入するのを防ぐことができる。更に閉塞板を設けることで、後方からの雨水の浸入も防止できる。
【図面の簡単な説明】
【００１１】
【図１】本発明に係るインターホン機器の防雨構造一例を示し、インターホン機器の分解斜視図を示している。
【図２】図１のケース背部に設けられた閉塞板を開けた状態のインターホン機器を示し、（ａ）は背面図、（ｂ）はＡ−Ａ線断面図である。
【図３】図２のインターホン機器の背面方向から見た斜視図である。
【図４】図１の閉塞板を閉じた状態を示し、（ａ）は背面図、（ｂ）はＢ−Ｂ線断面図である。
【図５】閉塞板の他の形態を示すケースの背面図である。
【発明を実施するための形態】
【００１２】
以下、本発明を具体化した実施の形態の一例を、図面を参照して詳細に説明する。図１はインターホン機器の分解斜視図を示し、上ケース１ａに下ケース１ｂを嵌合して形成したケース１内に、呼び出し及び通話を実現させるための電子部品や通話先の機器やセキュリティ機器等を接続するための端子台が搭載されたメイン基板２、カメラ３を搭載したカメラ基板４等が収納される。尚、５はインターホン機器を壁面に取り付ける際に使用される取付台である。
【００１３】
また、図２（ａ）は図１のインターホン機器の背面図、図２（ｂ）はＡ−Ａ線断面図、図３はこの状態の背面方向から見た斜視図であり、本発明の防雨構造の一例を示している。図２において、６は呼出ボタン、７はスピーカ、８はカメラ３の角度を調整する角度調整レバー、９はケース１の背部を塞ぐ閉塞板、１０は外部機器と接続するための伝送線を接続する端子台である。尚、閉塞板９を上方に回動してケース１背部を開放した状態を示している。
【００１４】
一方図１において、１１はカメラ３を露出させるカメラ窓、１２はスピーカ７が収納されたスピーカ部、１３は呼出ボタン６が取り付けられる呼出ボタン部、１４は図示しないマイクが収納されるマイク孔である。
尚、これらの上ケース１ａに形成された窓や開口部は防雨構造を備えているが、ここでは説明を省略し、以下ケース１背面となる下ケース１ｂに形成された開口部（窓）の防雨構造について説明する。
【００１５】
下ケース１ｂは、後方に一様に突出させた膨出部２０を有し、図２に示すように角度調整レバー８を露出させる調整窓１６が形成され、端子台１０を露出させる端子台窓１７がその下部に形成されている。何れも膨出部２０に形成されている。
角度調整レバー８は、カメラ３の背部に設けられた球面を有する案内部材８ａに突設され、調整窓１６はこの案内部材８ａに密着するよう同様に球面で形成された底面１６ａの中心に形成されている。尚、膨出部２０は、壁面に埋設したスイッチボックスを使用して取り付ける場合、スイッチボックスに収納される部分である。
【００１６】
調整窓１６は、図３に示すようにケース１の背面に円形に一段落とし込んで形成された円形凹部２１の中に開口形成されている。この円形凹部２１内に底面１６ａが形成され、その中央突起部に調整窓１６は穿設されている。
そして、円形凹部２１の上部には、一様な深さのガイド溝２２が形成されている。このガイド溝２２は、円形凹部２１の上側の約半周を囲むように形成され、左右端部はそれぞれ膨出部２０の側部へ向けて下り傾斜の直線溝が更に延設されている。
【００１７】
端子台窓１７は、端子台１０の外形に合わせて横長の四角形に開口形成されている。その上部及び左右側部には、端子台窓１７を囲むように枠状突起２４がコ字状に形成されている。枠状突起２４は、円形凹部２１の前端面に連続する面から立ち上げ形成されている。
【００１８】
閉塞板９は、膨出部２０と同一の幅を有し、調整窓１６及び端子台窓１７の前方（ケース背面）を覆う長さを備えた四角形の板体であり、上端の左右が下ケース１ｂに嵌合し、上下に回動するよう蝶着されている。
そして、膨出部２０に対峙する閉塞板９の裏面に、帯状リブ２６、帯状段部２８が形成されている。帯状リブ２６は、閉塞板９を閉じた際にガイド溝２２に嵌合するよう帯状に起立形成したリブで、閉塞板９の左右に亘り形成されている。
【００１９】
一方、閉塞板９の端子台１７を閉塞する部位は、閉じた際に端子台窓１７を施蓋するように、枠状突起２４に合わせて１段落とし込んで形成した当接面９ａを有し、帯状段部２８はこの段部により形成されている。帯状段部２８は、枠状突起２４に合わせてコ字状に形成され、枠状突起２４に嵌合するよう形成されている。
【００２０】
図４は閉塞板９を回動して閉じた状態を示し、（ａ）は背面図、（ｂ）はＢ−Ｂ線断面図である。図４に示すように、下ケース１ｂの端子台窓１７の下部には凹部２７が形成され、閉塞板９により端子台窓１７の前方が塞がれても、接続した伝送線（図示せず）を引き出すための隙間が閉塞板９の下部に亘り形成されている。
【００２１】
このように、左右に亘り形成したガイド溝２２により、上方から流れ込んだ雨水は左右に流れ出るため、調整窓１６に雨水が浸入することが無い。また、上部に配置されるガイド溝２２と枠状突起２４により上方から端子台窓１７へ雨水が浸入するのも防ぐことができる。
更に、閉塞板９により調整窓１６及び端子台窓１７の前方が閉塞されるし、ガイド溝２２には帯状リブ２６が嵌合するため、あたかも二重リブ構造のような構成となり、後方からの雨水の浸入阻止に加えて上方からの雨水の浸入に対しても防止効果が増す。
また、閉塞板９は端子台窓１７に対して、その前面を覆うだけでなく枠状突起２４を含めて閉塞するため、枠状突起２４との間の隙間を無くすことができ、端子台窓１７への雨水の浸入を確実に防止できる。
また、蝶着された閉塞板９は容易に開閉でき、調整窓１６や端子台窓１７を容易に露出させることができるし、調整窓１６及び端子台窓１７の双方を覆うため、窓にそれぞれ閉塞板を備える必要がなく、部品点数を削減できる。
【００２２】
ここで、インターホン機器の壁面への取り付けについて説明する。図１に示しているインターホン機器は、膨出部２０を壁面に埋設されたスイッチボックス（図示せず）に収納する埋設型と、図１に示す取付台５を使用して膨出部２０を壁面に埋設せずに設置する露出型の２つの形態で設置可能となっている。
埋設型の場合、スイッチボックスに埋め込まれて固定されるため、雨水はケース１の背部には浸入し難く、ガイド溝２２及び枠状突起２４により対応でき、閉塞板９は無くとも良い。しかし、露出型の場合は、取付台５を使用して膨出部２０全体が収納されるが、埋設型に比べてケース１の背面に雨水は入り易く、閉塞板９を備えるのが好ましい。
このとき、取付台５に設けられたネジ挿通孔２９（図１に示す）を使用して、ネジを使用して壁面にネジ止めされて固定されるが、閉塞板９が取付台５に接近している場合は、ネジ山が閉塞板９に接触する場合がある。図５はこのような場合に対応した閉塞板９ａを取り付けたケース１の背面を示している。図５に示すように、閉塞板９ａの対応する位置に穴３０が穿設され、ネジ山の接触が発生しないようにしている。
【００２３】
尚、閉塞板９に穴３０を設けた場合、穴３０から雨水の浸入が考えられるため、穴３０を塞ぐように閉塞板９の膨出部２０に対峙する背面側にゴム等の弾性片を貼着すると良い。また、図５において、３１は下ケース１ｂを取付台５や壁面にネジ止めする際に使用されるネジ挿通孔であり、３２は取付台５に装着したネジのネジ山との干渉を避けるための凹部である。
【符号の説明】
【００２４】
１・・ケース、３・・カメラ、５・・取付台、８・・角度調整レバー、９・・閉塞板、１０・・端子台、１６・・調整窓、１７・・端子台窓、２２・・ガイド溝、２４・・枠状突起、２６・・帯状リブ、２８・・枠部。
【図１】
0005878805.tif 000002
【図２】
0005878805.tif 000003
【図３】
0005878805.tif 000004
【図４】
0005878805.tif 000005
【図５】
0005878805.tif 000006